(57)【要約】      （修正有）【課題】使い捨て不織布マスクにはワイヤー等をつけてマスク本体を支持したり安定して装着できるようにしたり工夫がされたものは多くあるが、マスクが鼻にかかる部分においてワイヤーの有無に関わらず浮くものが多かった。さらにマスクが鼻にかかる部分が浮いてしまうとマスクと顔との隙間が広くなるため、鼻や口から出る呼気が目の方向へ流出してメガネ等が曇ることを防止するマスクを提供する。【解決手段】マスク本体１の上辺の一辺で鼻に接すると想定される中央の本体カット部２を切り抜き、切り抜いた一辺からやや下の高さにその一部分を切り抜かれた一辺に添う様に支持ワイヤー３を組み入れ、マスク本体の内側にマスクを装着した時に鼻の穴よりもやや上になる高さにマスク本体から顔に向けて斜め下向きの傾きをもつ斜めフィン４を設けた事を特徴とするマスク。【選択図】図１
0003234842.tif 000002
【実用新案登録請求の範囲】
【請求項１】
マスク本体の鼻にかかる部分（マスクが鼻に当たる部分）を切り抜く（凹型のような形になる）事で、マスクが鼻（鼻骨の先端辺り）にかかりやすくなり、鼻の形（曲面）に密着しやすくなる。さらに、本体カット部の形に添う様に組み入れた支持ワイヤーを用いて鼻や顔の表面（鼻から頬、耳のライン等）の形に合うように整える。この時、鼻を挟む様に支持ワイヤーを形成することで、マスクが鼻にかかり（鼻に乗り）やすくなり、マスクの装着具合を安定させる事ができる。また、マスク本体の内側の鼻の穴よりやや上の高さに取り付けた斜めフィンによって、鼻や口から出る呼気が目の方向へ抜ける事を抑えることが出来る。鼻や口から出る呼気の目の方向への流出が抑えられる事でメガネ等を装着した際のメガネ等の曇りの軽減にもつながる。
【考案の詳細な説明】
【技術分野】
【０００１】本考案は、密着向上を目的としてマスクの形を工夫した衛生用品に関するものである。
【背景技術】
【０００２】従来のマスクには様々なものがあるが、中には呼気の流れを考慮したものや眼鏡の曇り軽減を目的としたものがあった（特許文献１〜７参照）。また、形について言及したものではないが素材やフィルターについて述べたものや鼻の形を考慮して考えられたものはあった（特許文献８および９参照）。
【先行技術文献】
【特許文献】
【０００３】
【特許文献１】実用新案登録第３２３１８１７号
【特許文献２】特許第６８５７９２６号公報
【特許文献３】実用新案登録第３２３１１３５号公報
【特許文献４】実用新案登録第３２３０８２２号公報
【特許文献５】実用新案登録第３２３０７６１号公報
【特許文献６】特開２０２０−１０５６７７号公報
【特許文献７】特開２０２０−９４３１５号公報
【特許文献８】実用新案登録第３２２６４０４号公報
【特許文献９】特開２０２０−１２８６１７号公報
【考案の概要】
【考案が解決しようとする課題】
【０００４】  そのために次のような問題点があった。
（イ）昨今のマスクはワイヤー等をつけてマスク本体を支持したり、安定して装着できる      ようにしたり、工夫がされたものは多かった。
（ロ）マスクが鼻にかかる部分においてワイヤーの有無に関わらず浮くものが多かった。
（ハ）マスクが鼻にかかる部分が浮くとマスクと顔の隙間が広くなり鼻や口から出る呼気      が目の方向へ流出する量が多くなり、メガネ等を装着している場合のメガネの曇り      の要因ともなっていた。
本考案は、これらの問題点を解決するためになされたものである。
【課題を解決するための手段】
【０００５】従来のマスク本体は長方形のものが多かったが、マスク本体の鼻にかかる部分（マスクが鼻に当たる部分）を切り抜いて凹型にすることで鼻の形（曲面）に密着しやすくなる。さらに、マスク内側の鼻の穴よりやや高い位置にフィンを取り付ける。フィンはマスク接地面から先端に向けて斜め下方に向くように取り付ける。この斜めのフィンによって、目の方向からの空気は入りやすく反対に鼻や口から出る呼気が目の方向へ抜ける事（鼻や口から出る息の目の方向へ流出する事）を抑えることが出来る。
【考案の効果】
【０００６】マスク本体の鼻にかかる部分（マスクが鼻に当たる部分）を切り抜く（凹型のような形になる）事で、マスクが鼻（鼻骨の先端辺り）にかかりやすくなり、鼻の形（曲面）に密着しやすくなる。さらに、本体カット部の形に添う様に組み入れた支持ワイヤーを用いて鼻や顔の表面（鼻から頬、耳のライン等）の形に合うように整える。この時、鼻を挟む様に支持ワイヤーを形成することで、マスクが鼻にかかり（鼻に乗り）やすくなり、マスクの装着具合を安定させる事ができる。また、マスク本体の内側の鼻の穴よりやや上の高さに取り付けた斜めフィンによって、鼻や口から出る呼気が目の方向へ抜ける事（呼気が目の方向へ流出する事）を抑えることが出来る。鼻や口から出る呼気の目の方向への流出が抑えられる事でメガネ等を装着した際のメガネ等の曇りの軽減にもつながる。
【図面の簡単な説明】
【０００７】
【図１】  本考案を内側から見た図である。
【図２】  本考案の斜視図である。
【図３】  本考案を装着した例のイメージ図である。
【考案を実施するための形態】
【０００８】  以下、本考案を実施するための形態について説明する。
（イ）マスク本体（１）の上部一辺の中央部分について、マスクを装着したとき鼻に乗る      （鼻にかかる）部分をカットして、本体カット部（２）を作る。これによりマスク      本体（１）は凹型のような形となる。
（ロ）本体カット部（２）のできたマスク本体（１）の上辺に沿って、上辺からやや下の      位置に支持ワイヤー（３）を組み込む。
（ハ）マスク本体（１）の内側で、マスクを装着したとき鼻の穴よりも上にあたる高さに      斜めフィン（４）を設ける。斜めフィン（４）は、左と右の２か所に取り付けるが      、マスク接地面から斜めフィン（４）先端に向けて斜め下方へ向くように取り付け      る。
（ニ）マスク本体（１）の左右には、マスクを装着するとき耳にかけるための耳掛け（５      ）を取り付ける。耳掛け（５）は左と右それぞれに取り付ける。
本考案は以上のような構成である。
本考案を使用する際は、マスク本体（１）が鼻から口にかけて包み込むように装着する。マスク本体（１）を装着する際に、本体カット部（２）が鼻にかかる（鼻に乗る）ように装着する。マスク本体（１）の左右に取り付けられた耳掛け（５）は、左と右それぞれの耳にかけるように使用する。マスク本体（１）を装着した後、支持ワイヤー（３）を鼻や顔の形に合わせて密着する様に形を整える。この時、支持ワイヤー（３）で鼻を挟む様に形成することが望ましい。これにより、マスク本体（１）の装着具合が安定して、マスク本体（１）と顔との隙間を狭くして、密着程度を上げることが出来る。マスク本体（１）の内側に取り付ける斜めフィン（４）の位置は、鼻の穴よりも上の高さに取り付ける事で、目や鼻の方からの空気は入りやすく、鼻や口から出る呼気が目の方向へ抜ける事（呼気が目の方向へ流出する量）を抑えることが出来る。
【符号の説明】
【０００９】１  マスク本体
２  本体カット部
３  支持ワイヤー
４  斜めフィン
５  耳掛け
【図１】
0003234842.tif 000003
【図２】
0003234842.tif 000004
【図３】
0003234842.tif 000005
【手続補正書】
【提出日】令和3年8月4日(2021.8.4)
【手続補正１】
【補正対象書類名】実用新案登録請求の範囲
【補正対象項目名】全文
【補正方法】変更
【補正の内容】
【実用新案登録請求の範囲】
【請求項１】
マスク本体の上辺の一辺で鼻に接すると想定される中央の部分を切り抜き、切り抜いた一辺からやや下の高さにその一部分を切り抜かれた一辺に添う様にワイヤーを組み入れ、マスク本体の内側にマスクを装着した時に鼻の穴よりもやや上になる高さにマスク本体から顔に向けて斜め下向きの傾きをもつフィンを設けた事を特徴とするマスク。